(57)【要約】【課題】特に移動及び回転調整式ソケットホルダを提供する。【解決手段】本発明に係る移動及び回転調整式ソケットホルダは、レールと、位置決め部材と、少なくとも１つの掛け部材を有し、そのうち、位置決め部材は、その上面にそれぞれ交互に配列される、複数の固定部及び複数の第一係合部を備え、該掛け部材は、摺動可能かつ回動可能に前記レールに取り付けられ、摺動部を備え、該摺動部は、その底面に下方へ延設される係合凸縁と、複数の第二係合部と、案内凹部を含み、該係合凸縁がそのうちの１つの固定部に係合すると共に、その２つの隣り合った第二係合部に固定部が係合され、それによれば、掛け部材をレールに沿って迅速にかつ自由に移動及び回転調整することができるので、使用上の利便性を向上させることができる。【選択図】図１
2018144170.tif 000002
【特許請求の範囲】
【請求項１】
細長状の座部であり、底部及び、それぞれが該底部の上面両側に凸設されると共に、それぞれが開口の対向する摺動軌道が形成される２つの軌道部を備える、レールと、
前記レールに嵌め込まれ、２つの長縁と、中央部と、複数の固定部と、複数の第一係合部を備え、該複数の固定部は、位置決め部材の上面にそれぞれが間隔で一直線に配列され、それぞれが湾曲状の位置決め凹部を備え、該複数の第一係合部はそれぞれが間隔で一直線に配列されるように位置決め部材の上面に凸設され、該第一係合部と固定部とが交互に配列される、位置決め部材と、
摺動可能かつ回動可能に前記レールに取り付けられ、摺動部及び延出部を備え、該摺動部は、摺動可能かつ回転可能に２つの軌道部の摺動軌道に嵌め込まれ、環状の係合凸縁と、複数の第二係合部と、案内凹部を備え、そのうち係合凸縁は、摺動部の底面に下方へ延設され、複数の第二係合部は、係合凸縁の一側に設けられ、それぞれが間隔で環状に配列されるように係合凸縁の底面に凸設され、２つの隣り合った第二係合部に固定部が係合され、該案内凹部が径方向に摺動部の底面に凹設される、少なくとも１つの掛け部材と、を有することを特徴とする、
移動及び回転調整式ソケットホルダ。
【請求項２】
前記位置決め部材及び少なくとも１つの掛け部材の摺動部のうちの一方が弾性を備えることを特徴とする請求項１に記載の移動及び回転調整式ソケットホルダ。
【請求項３】
前記第一係合部は、２つの隣り合う位置決め凹部の間に凸設されることを特徴とする請求項１または２に記載の移動及び回転調整式ソケットホルダ。
【請求項４】
前記レールの２つの軌道部に、且つ摺動軌道の下方にそれぞれ、開口が対向する嵌合軌道が形成され、前記位置決め部材は、レールの嵌合軌道に嵌め込まれ、両側の長縁から中央部へ行くにつれて次第に隆起し、２つの嵌め部及び貫通凹部を備え、該２つの嵌め部はそれぞれ、位置決め部材の底面両側の長縁の下方に凸設され、軌道部の嵌合軌道に嵌め込まれ、該貫通凹部は、位置決め部材の底面に長手方向に形成され、また、前記位置決め部材の中央部と底部との間にスペースが形成されることを特徴とする請求項３に記載の移動及び回転調整式ソケットホルダ。
【請求項５】
前記各固定部の深さが両端から中央へ行くにつれて次第に深くなることを特徴とする請求項４に記載の移動及び回転調整式ソケットホルダ。
【発明の詳細な説明】
【技術分野】
【０００１】
本発明は、特に移動及び回転調整式ソケットホルダに関するものである。
【背景技術】
【０００２】
既存のソケットホルダは、レール及び複数の掛け部材を有し、該掛け部材が摺動可能にレールに取り付けられ、そこにソケットを掛合するようにレールに固定して収納する。詳しく述べると、ソケットホルダを使用する時、使用者が、掛け部材に掛けられているソケットを回して、その表面に付されている寸法マークまたは番号を確認し、必要なソケットを取り外して使用する。
このような既存のソケットホルダは、ソケットが移動や回転しやすく、ソケットホルダが外力を受けると、掛け部材が回転したり、隣りの掛け部材に衝突して、ソケットの表面における寸法マークや番号が正面からずれたりすることから、ソケットを選択する時に、一々ソケットを回転させて寸法を確認する必要があるので、非常に不便であった。
【０００３】
図１２に示す実施例によれば、ソケットホルダは、掛け部材８２が移動自在かつ回転自在にレール８０に取り付けられ、該掛け部材８２の底面に歯部が突起し、該レール８０に複数の凸部が一直線に配列され、該掛け部材８２の歯部がレール８０の凸部に係合されることによって、該掛け部材８２がレール８０に位置決められる。
【先行技術文献】
【特許文献】
【０００４】
【特許文献１】台湾特許第Ｉ３９５６４６号
【発明の概要】
【発明が解決しようとする課題】
【０００５】
しかしながら、既存のソケットホルダは、掛け部材及びレールの位置決め構造によって掛け部材をレールに係合することができるが、その位置決め効果が劣ることから、改良する必要があった。
【課題を解決するための手段】
【０００６】
本発明に係る移動及び回転調整式ソケットホルダは、細長状の座部であり、底部及び、それぞれが該底部の上面両側に凸設されると共に、それぞれが開口の対向する摺動軌道が形成される２つの軌道部を備える、レールと、前記レールに嵌め込まれ、２つの長縁と、中央部と、複数の固定部と、複数の第一係合部を備え、該複数の固定部は、位置決め部材の上面にそれぞれが間隔で一直線に配列され、それぞれが湾曲状の位置決め凹部を備え、該複数の第一係合部はそれぞれ間隔で一直線に排列されるように位置決め部材の上面に凸設され、該第一係合部と固定部とが交互に配列される、位置決め部材と、摺動可能かつ回動可能に前記レールに取り付けられ、摺動部及び延出部を備え、該摺動部は、摺動可能かつ回転可能に２つの軌道部の摺動軌道に嵌め込まれ、環状の係合凸縁と、複数の第二係合部と、案内凹部を備え、そのうち係合凸縁は、摺動部の底面に下方へ延設され、複数の第二係合部は、係合凸縁の一側に設けられ、それぞれが間隔で環状に配列されるように係合凸縁の底面に凸設され、２つの隣り合った第二係合部に固定部が係合され、該案内凹部が径方向に摺動部の底面に凹設される、少なくとも１つの掛け部材と、を有するものである。
【発明の効果】
【０００７】
本発明に係る移動及び回転調整式ソケットホルダは、位置決め部材に固定部及び第一係合部が設けられると共に、掛け部材に摺動部の係合凸縁及び第二係合部が設けられる。この構成によれば、掛け部材をレールに対して所望の位置までに長手方向に移動させたり回転させたりした後に係合固定することから、この掛け部材の案内凹部を有すれば、掛け部材をレールに沿って迅速にかつ自由に移動調整することができるので、使用上の利便性を向上させることができる。
【図面の簡単な説明】
【０００８】
【図１】本発明の斜視図である。
【図２】本発明の部分拡大分解斜視図である。
【図３】本発明における位置決め部材及び掛け部材を示す分解斜視図である。
【図４】本発明における位置決め部材の拡大斜視図である。
【図５】本発明において、掛け部材をレール及び位置決め部材に対して移動させる状態を示す部分断面図である。
【図６】図５のＡ−Ａ線の部分断面図である。
【図７】図６のＢ−Ｂ線の部分断面図である。
【図８】本発明において、ソケットを掛け部材に掛止して移動させたり回転させたりする操作状態を示す説明図である。
【図９】本発明において、掛け部材を回転させた状態を示す部分側面視断面である。
【図１０】図９のＣ−Ｃ線の部分断面図である。
【図１１】図１０のＤ−Ｄ線の部分断面図である。
【図１２】既存のソケットホルダを示す部分分解斜視図である。
【発明を実施するための形態】
【０００９】
以下、添付図面を参照して本発明の適切な実施の形態を詳細に説明する。
【００１０】
図１乃至図４に示すように、本発明に係る移動及び回転調整式ソケットホルダは、レール１０と、位置決め部材２０と、少なくとも１つの掛け部材３０を有する。
【００１１】
前記レール１０は、金属からなるものであり、アルミ押し出し材からなることが好ましい。該レール１０は、細長状の座部であり、底部１１及び２つの軌道部１２を備え、該底部１１は、細長状を呈し、該２つの軌道部１２は、底部１１の上面における両側に凸設され、該各軌道部１２に嵌合軌道１３及び摺動軌道１４が形成され、該２つの軌道部１２における嵌合軌道１３及び摺動軌道１４はそれぞれ、開口が対向するように形成され、該嵌合軌道１３は、摺動軌道１４の下方に配置される。
【００１２】
前記位置決め部材２０は、弾性を備えるプレートであり、レール１０の嵌合軌道１３に嵌め込まれ、２つの長縁と、２つの自由端と、中央部と、２つの嵌め部２１と、貫通凹部２２と、複数の固定部２４と、複数の第一係合部２６を備え、両側の長縁から中央部へ向うにつれて次第に隆起する。
前記２つの嵌め部２１はそれぞれ、位置決め部材２０の底面両側の長縁の下方に凸設され、軌道部１２の嵌合軌道１３に嵌め込まれ、前記貫通凹部２２は、位置決め部材２０の底面に長手方向に２つの自由端を貫通するように形成される。この構成によれば、該位置決め部材２０と底部１１との間にスペースが形成され、該位置決め部材２０の中央部がレール１０に対して弾力変形によるスペースに移動するように変形してもよい。尚、他の実施例においては、位置決め部材２０及びレール１０が一体に成形されることが好ましい。
【００１３】
前記複数の固定部２４は、位置決め部材２０の上面中央部に、それぞれが２つの自由端の間に同間隔で一直線に配列され、湾曲状を呈する位置決め凹部を備え、その深さは、両端から中央へ行くにつれて次第に深くなる。
前記複数の第一係合部２６はそれぞれ、同間隔で一直線に配列されるように位置決め部材２０の上面に凸設され、それら第一係合部２６及び固定部２４は交互に配列される。すなわち、前記位置決め部材２０における２つの隣り合う固定部２４の間に、第一係合部２６が凸設されることが好ましい。
【００１４】
前記少なくとも１つの掛け部材３０は、摺動可能かつ回動可能にレール１０に取り付けられ、該各掛け部材３０は、摺動部３１及び延出部３２を備え、該摺動部３１は、弾性を備えるリング状のベース部材であり、摺動可能かつ回転可能に２つの軌道部１２の摺動軌道１４に嵌め込まれ、環状の係合凸縁３１１と、複数の第二係合部３１２と、案内凹部３１４を備える。
該係合凸縁３１１は、摺動部３１の底面に下方へ延設され、その一部の弧状部分が一部の固定部２４に係合することができ、該複数の第二係合部３１２は、係合凸縁３１１の外周縁または内周縁に設けられ、それぞれが同間隔で環状に配列されるように係合凸縁３１１の底面に凸設され、また、２つの隣り合う第二係合部３１２に固定部２４が係合され、該案内凹部３１４は、径方向に摺動部３１の底面に凹設される。
【００１５】
前記延出部３２は、摺動部３１の上部に凹設され、ソケットを掛止するための座部であり、中空状の方形柱であってもよく、その一側面に当接凸部３２１が突設される。
【００１６】
図５乃至図７に示すように、掛け部材３０をレール１０に取り付ける時は、まず、掛け部材３０の摺動部３１を、レール１０の一端から両側の軌道部１２の摺動軌道１４に嵌め込み、そして、摺動部３１の案内凹部３１４を第一係合部２６に嵌め込む。
この構成によれば、掛け部材３０を位置決め部材２０に沿って所望の位置まで速やかに移動させることができ、また、掛け部材３０の係合凸縁３１１の弧状部分が、対応する固定部２４の位置決め凹部に係合されることから、掛け部材３０を所望の位置に位置決め固定することができる。
【００１７】
図８に示すように、複数のソケット６０はそれぞれ、着脱可能に掛け部材３０の延出部３２に掛止され、この時、該延出部３２の当接凸部３２１がソケット６０の内周面の凹部に嵌合されることから、ソケット６０を掛け部材３０の延出部３２に位置決め固定することができる。
【００１８】
複数のソケット６０の表面に付された寸法マークまたは符号が、使用者側に位置するように配列されていない場合には、使用者がソケット６０をレール１０に対して時計回りまたは反時計回りに回転させることにより、ソケット６０の表面に付された寸法マークまたは符号を使用者側に向かうように調整することができる。
上述したソケット６０の回転調整操作は、図９乃至図１１に示すように、複数のソケット６０をそれぞれ掛け部材３０の延出部３２に掛止させ、そのソケット６０を回転させ、掛け部材３０を連動させることによりレール１０及び位置決め部材２０に対して回転可能となる。
また、掛け部材３０を位置決め部材２０に対して回動させる場合、掛け部材３０の摺動部３１または位置決め部材２０が弾性を備えることから、その掛け部材３０を、案内凹部３１４を介して第一係合部２６に係合させることができる。この構成によれば、掛け部材３０をレール１０に対して回転させて位置決めできることから、使用者は一目でソケット６０の表面に付された寸法マークまたは符号を確認することができる。
【００１９】
ソケット６０または掛け部材３０の位置を調整する場合は、ソケット６０または掛け部材３０を回転させて、掛け部材３０の案内凹部３１４を位置決め部材２０の第一係合部２６に対応させると、使用者は実際の需要に応じて、掛け部材３０をレール１０に沿って迅速かつ自由に移動調整することができる。
【００２０】
また、前記掛け部材３０を、位置決め部材２０に対して回転、或いは移動させ易くするためには、位置決め部材２０及び掛け部材３０の摺動部３１のうちの一方または両方に弾性を備える必要があり、その弾性を備えた位置決め部材２０または掛け部材３０を有すれば、第二係合部３１２を第一係合部２６に係合させたり、離脱させたりし易くなるので、掛け部材３０を位置決め部材２０に係合させたり離脱させ易くなる。
【符号の説明】
【００２１】
１０    レール
１１    底部
１２    軌道部
１３    嵌合軌道
１４    摺動軌道
２０    位置決め部材
２１    嵌め部
２２    貫通凹部
２４    固定部
２６    第一係合部
３０    掛け部材
３１    摺動部
３１１  係合凸縁
３１２  第二係合部
３１４  案内凹部
３２    延出部
３２１  当接凸部
６０    ソケット
【図１】
2018144170.tif 000003
【図２】
2018144170.tif 000004
【図３】
2018144170.tif 000005
【図４】
2018144170.tif 000006
【図５】
2018144170.tif 000007
【図６】
2018144170.tif 000008
【図７】
2018144170.tif 000009
【図８】
2018144170.tif 000010
【図９】
2018144170.tif 000011
【図１０】
2018144170.tif 000012
【図１１】
2018144170.tif 000013
【図１２】
2018144170.tif 000014